(57)【特許請求の範囲】
【請求項１】
装置であって、
無線周波数（ＲＦ）入力信号の第１のキャリア信号を増幅するように構成された第１の増幅器段と、ここにおいて、前記第１の増幅器段が、キャリアアグリゲーション動作モードをサポートするように構成される、
前記ＲＦ入力信号の第２のキャリア信号を増幅するように構成された第２の増幅器段と、ここにおいて、前記第２の増幅器段が、デュアル加入者識別モジュール（ＳＩＭ）デュアルスタンバイ（ＤＳＤＳ）動作モードで、ページング信号を検出するために前記第２のキャリア信号を増幅するように構成される、
抵抗容量性（ＲＣ）ネットワーク、ここで、前記ＲＣネットワークが、前記第１の増幅器段に結合された、及び前記第２の増幅器段に結合された第１の端子を含み、前記ＲＣネットワークが、容量要素に結合された抵抗要素を含み、前記ＲＣネットワークが、前記ＲＦ入力信号を受信し、制御入力に応答して前記ＲＦ入力信号に接地への経路を与えるように構成され、ここにおいて、前記接地への経路を与えることは、前記第１の増幅器段が有効にされるかどうかに基づいて、前記第２の増幅器段のインピーダンスを変更することを備える、と、
を備え、前記装置は、第１の負荷回路と第２の負荷回路とをさらに備え、ここにおいて、前記第１の増幅器段が、前記第１の増幅器段の出力を前記第１の負荷回路に結合する第１のスイッチと、前記第１の増幅器段の前記出力を前記第２の負荷回路に結合する第２のスイッチとを含む、装置。
【請求項２】
前記第２の増幅器段が、前記第２の増幅器段の出力を前記第１の負荷回路に結合する第３のスイッチと、前記第２の増幅器段の前記出力を前記第２の負荷回路に結合する第４のスイッチとを含む、請求項１に記載の装置。
【請求項３】
前記ＲＣネットワークが、
接地に結合された第２の端子と、
制御入力を受信するように構成された第３の端子と
をさらに含み、前記第１の端子が、ＲＦ入力ノードにさらに結合される、請求項１に記載の装置。
【請求項４】
前記ＲＣネットワークが、スイッチングデバイスをさらに含み、前記容量要素が、前記スイッチングデバイスと接地とに結合され、前記スイッチングデバイスが、制御入力に応答し、および前記第１の増幅器段が有効にされるかどうかに基づいて前記第２の増幅器段のインピーダンスを変更するように構成される、請求項１に記載の装置。
【請求項５】
前記第１の増幅器段および前記第２の増幅器段が、低雑音増幅器（ＬＮＡ）中に含まれ、ここにおいて、前記ＬＮＡが、前記第１の増幅器段が有効にされるかどうかから独立して前記第２の増幅器段を有効にするように構成可能である、請求項１に記載の装置。
【請求項６】
前記第１の増幅器段および前記第２の増幅器段が、前記第１の増幅器段および前記第２の増幅器段が有効にされる第１のモードで動作し、および第２のモードで動作するように構成された低雑音増幅器（ＬＮＡ）中に含まれる、請求項１に記載の装置。
【請求項７】
前記第２のモードで、前記第１の増幅器段が無効にされている間に、前記第２の増幅器段が有効にされる、請求項６に記載の装置。
【請求項８】
前記第１の増幅器段の入力と前記第２の増幅器段の入力との間の交流（ＡＣ）結合を与えるように構成されたキャパシタをさらに備える、請求項１に記載の装置。
【請求項９】
前記第１の増幅器段に結合された第１のバイアス回路と、前記第２の増幅器段に結合された第２のバイアス回路とをさらに備え、前記第１の増幅器段が、第１の利得を与えるように構成され、前記第２の増幅器段が、前記第１の利得とは異なる第２の利得を与えるように構成される、請求項１に記載の装置。
【請求項１０】
前記ＲＣネットワークが、制御入力を受信するように構成されたトランジスタをさらに含み、前記トランジスタが、前記制御入力を受信するように結合されたゲートと、前記容量要素に結合されたソースと、前記抵抗要素に結合されたドレインとを含む、請求項１に記載の装置。
【請求項１１】
前記第１の増幅器段がディジェネレーション回路を介して接地に結合され、前記第２の増幅器段が接地に直接結合された、請求項１に記載の装置。
【請求項１２】
方法であって、
第１の増幅器段の入力と第２の増幅器段の入力とにおいて入力信号を受信すること、ここで、前記第１の増幅器段が、無線周波数（ＲＦ）入力信号の第１のキャリア信号を増幅するように構成され、ここにおいて、前記第１の増幅器段が、キャリアアグリゲーション動作モードをサポートするように構成され、前記第２の増幅器段が、前記ＲＦ入力信号の第２のキャリア信号を増幅するように構成される、と、
前記第１の増幅器段の出力を第１の負荷回路に結合するための第１のスイッチを有効にすることと、
前記第１の増幅器段の前記出力を第２の負荷回路に結合するための第２のスイッチを有効にすることと、
前記第１の増幅器段に結合された、及び前記第２の増幅器段に結合された第１の端子を含む抵抗容量性（ＲＣ）ネットワークにおいて、制御入力を受信すること、ここで、前記ＲＣネットワークが、前記ＲＦ入力信号を受信し、前記制御入力に応答して前記ＲＦ入力信号に接地への経路を与え、ここにおいて、デュアル加入者識別モジュール（ＳＩＭ）デュアルスタンバイ（ＤＳＤＳ）動作モードで、前記第１の増幅器段は、前記第１の増幅器段が有効にされたときに、第１のキャリア信号を増幅するように構成され、前記第２の増幅器段は、ページング信号を検出するために第２のキャリア信号を増幅するように構成され、ここにおいて、前記接地への経路を与えることは、前記第１の増幅器段が有効にされるかどうかに基づいて、前記第２の増幅器段のインピーダンスを変更することを備える、と
を備える、方法。
【請求項１３】
前記第２の増幅器段の出力を第１の負荷回路に結合するための第３のスイッチを有効にすることと、
前記第２の増幅器段の前記出力を第２の負荷回路に結合するための第４のスイッチを有効にすることと
をさらに備える、請求項１２に記載の方法。
【発明の詳細な説明】
【技術分野】
【０００１】
関連出願の相互参照
[0001]本出願は、その内容全体が参照により本明細書に明確に組み込まれる、同一出願人が所有する、２０１４年５月２２日に出願された米国仮特許出願第６２／００１，６５７号、および２０１５年３月４日に出願された米国非仮特許出願第１４／６３８，９６３号の優先権を主張する。
【０００２】
[0002]本開示は、一般に電子機器に関し、より詳細には、送信機および受信機に関する。
【背景技術】
【０００３】
[0003]無線周波数（ＲＦ）トランシーバでは、通信信号が、一般に、時に受信チェーンと呼ばれる受信回路要素によって、受信されダウンコンバートされる。受信チェーンは、一般に、通信信号中に含まれている情報を復元するために、受信フィルタ、低雑音増幅器（ＬＮＡ：low noise amplifier）、ミキサ、局部発振器（ＬＯ）、電圧制御発振器（ＶＣＯ）、ベースバンドフィルタ、および他の構成要素を含む。トランシーバは、別のトランシーバにおける受信機への通信信号の送信を可能にする回路要素も含む。トランシーバは、一般に周波数バンドと呼ばれる、複数の周波数範囲にわたって動作することが可能であり得る。その上、同じ周波数バンド中にあり得るが、周波数が重複しないことがある、不連続キャリア（non-contiguous carriers）と呼ばれる構成であり得る複数のキャリア信号を使用して動作するように、単一のトランシーバが構成され得る。
【０００４】
[0004]いくつかの事例では、単一の送信機または受信機が、複数の送信周波数および／または複数の受信周波数を使用して動作するように構成される。受信機が２つまたはそれ以上の受信信号を同時に受信することが可能であるように、２つまたはそれ以上の受信経路が同時に動作させられ得る。そのようなシステムは「キャリアアグリゲーション（carrier-aggregation）」システムと呼ばれることがある。「キャリアアグリゲーション」という用語は、インターバンドキャリアアグリゲーションおよびイントラバンドキャリアアグリゲーションを含むシステムを指すことがある。イントラバンドキャリアアグリゲーションは、同じ通信バンド中の２つの別個のキャリア信号の処理を指す。インターバンドキャリアアグリゲーションは、異なる通信バンド中にある２つの別個のキャリア信号の処理を指す。
【０００５】
[0005]キャリアアグリゲーション能力を有するトランシーバの可能な用途のうちの１つは、異なる通信規格、たとえば、ＣＤＭＡおよびＧＳＭ（登録商標）を使用する異なるワイヤレスネットワークからの複数の信号の受信である。そのようなシステムは、デュアル加入者識別モジュール（ＳＩＭ）デュアルスタンバイ（ＤＳＤＳ：dual subscriber identity module dual standby）システムと呼ばれる。ＤＳＤＳ能力を達成する１つの手法は、ＬＮＡの従来のＣＡ動作をサポートするために主増幅器を使用し、ＤＳＤＳページング信号を受信するのをサポートするために補助の高インピーダンス増幅器を使用する。従来のＣＡ動作では、２つのキャリアは、受信電力に関してある程度まで平衡が取れていると仮定されるが、ＤＳＤＳ動作の場合、ページング信号は別の基地局から受信され得、その場合、２つのキャリア、ＣＡ１およびＣＡ２は異なる電力レベルを有し得る。補助ＬＮＡは従来、主ＬＮＡの通常動作への補助ＬＮＡの影響を低減するために、主ＬＮＡと比較して高い入力インピーダンスを有する。残念ながら、このことは、主たる受信信号がない場合でも、補助の高インピーダンス増幅器がＤＳＤＳページング信号を受信するために使用中である間、入力整合を維持するために、主増幅器がオンであることを必要とする。主たる受信信号がないときに主ＬＮＡよって消費される電力は、デバイスの有効なバッテリー寿命を低減し得る。
【０００６】
[0006]図において、別段に規定されていない限り、様々な図の全体を通して、同様の参照番号は同様の部分を指す。「１０２ａ」または「１０２ｂ」のような英文字名称をもつ参照番号について、英文字名称は、同じ図中に存在する２つの同様の部分または要素を区別し得る。参照番号が、すべての図において同じ参照番号を有するすべての部分を包含するものとする場合、参照番号に対する英文字名称は省略され得る。
【図面の簡単な説明】
【０００７】
【図１】[0007]ワイヤレス通信システムと通信するワイヤレスデバイスを示す図。
【図２Ａ】[0008]図１のワイヤレスデバイスによって使用され得る連続イントラバンドキャリアアグリゲーション（ＣＡ）の一例を示すグラフの図。
【図２Ｂ】[0009]図１のワイヤレスデバイスによって使用され得る不連続イントラバンドＣＡの一例を示すグラフの図。
【図２Ｃ】[0010]図１のワイヤレスデバイスによって使用され得る同じバンドグループにおけるインターバンドＣＡの一例を示すグラフの図。
【図２Ｄ】[0011]図１のワイヤレスデバイスによって使用され得る異なるバンドグループにおけるインターバンドＣＡの一例を示すグラフの図。
【図３】[0012]図１のワイヤレスデバイス中に含まれ得る構成要素を示すブロック図。
【図４】[0013]図１のワイヤレスデバイス中に含まれ得る増幅器の例示的な実施形態を示す図。
【図５】[0014]図１のワイヤレスデバイス中に含まれ得る増幅器の別の例示的な実施形態を示す図。
【図６】[0015]図１のワイヤレスデバイスにおいて実行され得る方法の例示的な実施形態を示す図。
【発明を実施するための形態】
【０００８】
[0016]「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。
【０００９】
[0017]本明細書では、「アプリケーション」という用語は、オブジェクトコード、スクリプト、バイトコード、マークアップ言語ファイル、およびパッチのような、実行可能なコンテンツを有するファイルを含み得る。さらに、本明細書で言及する「アプリケーション」はまた、開かれる必要があり得るドキュメント、またはアクセスされる必要がある他のデータファイルのような、本来実行可能でないファイルを含み得る。
【００１０】
[0018]「コンテンツ」という用語は、オブジェクトコード、スクリプト、バイトコード、マークアップ言語ファイル、およびパッチのような、実行可能なコンテンツを有するファイルを含み得る。さらに、本明細書で言及する「コンテンツ」はまた、開かれる必要があり得るドキュメント、またはアクセスされる必要がある他のデータファイルのような、本来実行可能でないファイルを含み得る。
【００１１】
[0019]本明細書で使用する「スタンドアロン動作」という用語は、低雑音増幅器（ＬＮＡ）のような、増幅器が一度に単一のキャリア信号上で動作することを指し、「同時動作」という用語は、ＬＮＡのような、増幅器が、同時に２つまたはそれ以上のキャリア信号上で動作することを指す。
【００１２】
[0020]図１は、ワイヤレス通信システム１２０と通信するワイヤレスデバイス１１０を示す図である。ワイヤレス通信システム１２０は、ロングタームエボリューション（ＬＴＥ（登録商標））システム、符号分割多元接続（ＣＤＭＡ）システム、モバイル通信用グローバルシステム（ＧＳＭ：Global System for Mobile Communications）システム、ワイヤレスローカルエリアネットワーク（ＷＬＡＮ）システム、または何らかの他のワイヤレスシステムであり得る。ＣＤＭＡシステムは、広帯域ＣＤＭＡ（ＷＣＤＭＡ（登録商標））、ＣＤＭＡ  １Ｘ、エボリューションデータオプティマイズド（ＥＶＤＯ：Evolution-Data Optimized）、時分割同期ＣＤＭＡ（ＴＤ−ＳＣＤＭＡ：Time Division Synchronous CDMA）、またはＣＤＭＡの何らかの他のバージョンを実装し得る。簡単のために、図１は、２つの基地局１３０および１３２と１つのシステムコントローラ１４０とを含むワイヤレス通信システム１２０を示している。概して、ワイヤレス通信システムは、任意の数の基地局と、ネットワークエンティティの任意のセットとを含み得る。
【００１３】
[0021]ワイヤレスデバイス１１０は、ユーザ機器（ＵＥ）、移動局、端末、アクセス端末、加入者ユニット、局などと呼ばれることもある。ワイヤレスデバイス１１０は、セルラーフォン、スマートフォン、タブレット、ワイヤレスモデム、携帯情報端末（ＰＤＡ）、ハンドヘルドデバイス、ラップトップコンピュータ、スマートブック、ネットブック、タブレット、コードレスフォン、ワイヤレスローカルループ（ＷＬＬ）局、Ｂｌｕｅｔｏｏｔｈ（登録商標）デバイスなどであり得る。ワイヤレスデバイス１１０はワイヤレス通信システム１２０と通信し得る。ワイヤレスデバイス１１０はまた、放送局（たとえば、放送局１３４）からの信号、１つまたは複数のグローバルナビゲーション衛星システム（ＧＮＳＳ：global navigation satellite system）中の衛星（たとえば、衛星１５０）からの信号などを受信し得る。ワイヤレスデバイス１１０は、ＬＴＥ、ＷＣＤＭＡ、ＣＤＭＡ  １Ｘ、ＥＶＤＯ、ＴＤ−ＳＣＤＭＡ、ＧＳＭ、８０２．１１など、ワイヤレス通信のための１つまたは複数の無線技術をサポートし得る。
【００１４】
[0022]ワイヤレスデバイス１１０は、複数のキャリア上での動作を含む、キャリアアグリゲーションをサポートし得る。キャリアアグリゲーションはマルチキャリア動作と呼ばれることもある。ワイヤレスデバイス１１０は、ローバンド（ＬＢ）周波数バンドグループ（たとえば、１つまたは複数の周波数バンド中に含まれる最高周波数が１０００メガヘルツ（ＭＨｚ）を超えない１つまたは複数の周波数バンドの「バンドグループ」）、ミッドバンド（ＭＢ）周波数バンドグループ（たとえば、１つまたは複数の周波数バンド中に含まれる最低周波数が１０００ＭＨｚを超え、１つまたは複数の周波数バンド中に含まれる最高周波数が２３００ＭＨｚを超えない１つまたは複数の周波数バンドのバンドグループ）、および／またはハイバンド（ＨＢ）周波数バンドグループ（たとえば、１つまたは複数の周波数バンド中に含まれる最低周波数が２３００ＭＨｚを超える１つまたは複数の周波数バンドのバンドグループ）中で動作することが可能であり得る。たとえば、ローバンドは６９８〜９６０ＭＨｚをカバーし得、ミッドバンドは１４７５〜２１７０ＭＨｚをカバーし得、ハイバンドは２３００〜２６９０ＭＨｚと３４００〜３８００ＭＨｚとをカバーし得る。ローバンド、ミッドバンド、およびハイバンドは、バンドの３つのグループ（またはバンドグループ）を指し、各バンドグループは、いくつかの周波数バンド（または単に、「バンド」）を含む。いくつかの実装形態では、各バンドは、２００ＭＨｚよりも小さいかまたはそれに等しいバンド幅を有し得、１つまたは複数のキャリアを含み得る。各キャリアは、ＬＴＥでは最高２０ＭＨｚをカバーし得る。ＬＴＥリリース１１は３５個のバンドをサポートし、それらのバンドは、ＬＴＥ／ＵＭＴＳバンドと呼ばれ、３ＧＰＰ（登録商標）  ＴＳ３６．１０１に記載されている。
【００１５】
[0023]ワイヤレスデバイス１１０は、図４に関してさらに詳細に説明するような、抵抗容量性（ＲＣ：resistive-capacitive）ネットワークを有する増幅器を含み得る。キャリアアグリゲーション動作モードでは、ワイヤレスデバイス１１０は、異なる増幅器段において異なるキャリア信号を増幅し得る。非キャリアアグリゲーション動作モードでは、ワイヤレスデバイス１１０は、互いに並列に動作する複数の増幅器段においてキャリア信号を増幅し得る。ＲＣネットワークは、キャリアアグリゲーションモードのような、動作モードに基づいて増幅器の入力インピーダンスを選択的に変更するように構成されたスイッチングデバイスを含み得る。概して、キャリアアグリゲーション（ＣＡ）は、２つのタイプ、すなわちイントラバンドＣＡとインターバンドＣＡとに分類され得る。イントラバンドＣＡは、同じバンド内の複数のキャリア上での動作を指す。インターバンドＣＡは、異なるバンド中の複数のキャリア上での動作を指す。ワイヤレスデバイス１１０は、ＲＣネットワークを使用する単一の増幅器において、インターバンドおよびイントラバンドキャリアアグリゲーションのような、様々なキャリアアグリゲーションモードをサポートし得る。その結果、より複雑な整合ネットワークを使用する増幅器と比較して、増幅器のチップ面積およびコストが低減され得る。
【００１６】
[0024]図２Ａは、ローバンドグループ２１０と、ミッドバンドグループ２１２と、ハイバンドグループ２１４と、連続イントラバンドキャリアアグリゲーション（ＣＡ）の一例とを示すグラフの図である。図２Ａに示されている例では、ワイヤレスデバイス１１０は、ローバンドにおける４つの連続キャリア２１６〜２１９で構成される。ワイヤレスデバイス１１０は、同じバンドグループ内の４つの連続キャリア２１６〜２１９上での送信を送信および／または受信し得る。ワイヤレスデバイス１１０は、第１の増幅器段２０２と第２の増幅器段２０４とＲＣネットワーク２０６とを有する、ＬＮＡを含み得る。増幅器段２０２、２０４は、第１のキャリア２１６に対応する第１のキャリア信号と、第２のキャリア２１７に対応する第２のキャリア信号とを含む入力ＲＦ信号を受信し得る。第１の増幅器段２０２は、第１のキャリア信号を増幅するように構成され、第２の増幅器段２０４は、第２のキャリア信号を増幅するように構成される。第２の増幅器段２０４は、第１の増幅器段２０２と並列に動作する。その結果、ワイヤレスデバイス１１０は、受信された信号の第２の部分、第２のキャリア２１７に対応する第２の部分を増幅することと同時に、受信された信号の第１の部分、第１のキャリア２１６に対応する第１の部分を増幅し得る。
【００１７】
[0025]図２Ｂは、不連続イントラバンドＣＡの一例を示すグラフの図である。図２Ｂに示されている例では、ワイヤレスデバイス１１０は、ローバンドグループ２１０における１つのバンド中の４つの不連続キャリアを使用してワイヤレス通信を送信および／または受信するように構成される。キャリアは、５ＭＨｚ、１０ＭＨｚ、または何らかの他の量だけ分離され得る。ワイヤレスデバイス１１０は、同じバンド内の４つの不連続キャリア上での送信を送信および／または受信し得る。
【００１８】
[0026]図２Ｃは、同じバンドグループにおけるインターバンドＣＡの一例を示すグラフの図である。図２Ｃに示されている例では、ワイヤレスデバイス１１０は、ローバンドグループ２１０における２つのバンド２２０、２２２中の４つのキャリアを使用してワイヤレス通信を送信および／または受信するように構成される。ワイヤレスデバイス１１０は、同じバンドグループにおける異なるバンド中の４つのキャリア上での送信を送信および／または受信し得る。
【００１９】
[0027]図２Ｄは、異なるバンドグループにおけるインターバンドＣＡの一例を示すグラフの図である。図２Ｄに示されている例では、ワイヤレスデバイス１１０は、ローバンドグループ２１０における１つのバンド中の２つのキャリアと、ミッドバンドグループ２１２における別のバンド中の２つのキャリアとを含む、異なるバンドグループにおける２つのバンド中の４つのキャリアを使用して、ワイヤレス通信を送信および／または受信するように構成される。ワイヤレスデバイス１１０は、異なるバンドグループにおける異なるバンド中の４つのキャリア上での送信を送信および／または受信し得る。
【００２０】
[0028]図２Ａ〜図２Ｄは、キャリアアグリゲーションの４つの例を示している。キャリアアグリゲーションは、バンドとバンドグループとの他の組合せについてもサポートされ得る。
【００２１】
[0029]図３は、ワイヤレスデバイス３００（たとえば、図１のワイヤレスデバイス１１０の例示的な実装形態）を示すブロック図である。図３はトランシーバ３２０の一例を示している。概して、送信機３３０および受信機３５０における信号の調整は、増幅器、フィルタ、アップコンバータ、ダウンコンバータなどの１つまたは複数の段によって実行され得る。これらの回路ブロックは、図３に示されている構成とは異なって構成され得る。さらに、図３に示されていない他の回路ブロックも送信機３３０および受信機３５０において信号を調整するために使用され得る。別段に記載されていない限り、図３、または図面中の他の図中のいかなる信号もシングルエンドまたは差動のいずれかであり得る。また、図３中のいくつかの回路ブロックが省略され得る。
【００２２】
[0030]図３に示されている例では、ワイヤレスデバイス３００は、概して、トランシーバ３２０とデータプロセッサ３１０とを備える。データプロセッサ３１０は、データおよびプログラムコードを記憶するためのメモリ（図示せず）を含み得、概して、アナログおよびデジタル処理要素を備え得る。トランシーバ３２０は、双方向通信をサポートする送信機３３０と受信機３５０とを含む。概して、ワイヤレスデバイス３００は、任意の数の通信システムと周波数バンドとのための任意の数の送信機および／または受信機を含み得る。トランシーバ３２０の全部または一部分が、１つまたは複数のアナログ集積回路（ＩＣ）、ＲＦ  ＩＣ（ＲＦＩＣ）、混合信号ＩＣなどの上に実装され得る。
【００２３】
[0031]送信機または受信機は、スーパーヘテロダインアーキテクチャまたはダイレクトコンバージョン・アーキテクチャを用いて実装され得る。スーパーヘテロダインアーキテクチャでは、信号が、複数の段において無線周波数（ＲＦ）とベースバンドとの間で、たとえば、ある段ではＲＦから中間周波数（ＩＦ）に、次いで受信機のための別の段ではＩＦからベースバンドに、周波数変換される。ダイレクトコンバージョン・アーキテクチャでは、信号が１つの段においてＲＦとベースバンドとの間で周波数変換される。スーパーヘテロダインアーキテクチャおよびダイレクトコンバージョン・アーキテクチャは、異なる回路ブロックを使用し、および／または異なる条件を有し得る。図３に示されている例では、送信機３３０および受信機３５０は、ダイレクトコンバージョン・アーキテクチャを用いて実装される。
【００２４】
[0032]送信経路では、データプロセッサ３１０は、送信されるべきデータを処理し、送信機３３０に同相（Ｉ）および直交（Ｑ）アナログ出力信号を与える。例示的な実施形態では、データプロセッサ３１０は、データプロセッサ３１０によって生成されたデジタル信号を、さらなる処理のためにＩおよびＱアナログ出力信号、たとえば、ＩおよびＱ出力電流に変換するためのデジタルアナログ変換器（ＤＡＣ）３１４ａおよび３１４ｂを含む。
【００２５】
[0033]送信機３３０内で、ローパスフィルタ３３２ａおよび３３２ｂは、前のデジタルアナログ変換によって生じた望ましくないイメージを除去するために、それぞれ、ＩおよびＱアナログ送信信号をフィルタ処理する。増幅器（Ａｍｐ）３３４ａおよび３３４ｂは、それぞれ、ローパスフィルタ３３２ａおよび３３２ｂからの信号を増幅し、ＩおよびＱベースバンド信号を与える。アップコンバータ３４０が、送信（ＴＸ）局部発振器（ＬＯ）信号生成器３９０からのＩおよびＱ  ＴＸ  ＬＯ信号を用いてＩおよびＱベースバンド信号をアップコンバートし、アップコンバートされた信号を与える。フィルタ３４２が、周波数アップコンバージョンによって生じた望ましくないイメージならびに受信周波数バンド中の雑音を除去するために、アップコンバートされた信号をフィルタ処理する。電力増幅器（ＰＡ）３４４が、所望の出力電力レベルを取得するためにフィルタ３４２からの信号を増幅し、送信ＲＦ信号を与える。送信ＲＦ信号は、デュプレクサまたはスイッチ３４６を通して送られ、アンテナ３４８を介して送信される。
【００２６】
[0034]受信経路では、アンテナ３４８は、通信信号を受信し、受信ＲＦ信号を与え、受信ＲＦ信号は、デュプレクサまたはスイッチ３４６を通して送られ、低雑音増幅器（ＬＮＡ）３５２に与えられる。ＬＮＡ３５２は、スタンドアロンまたは同時のいずれかで、１つまたは複数のキャリア信号上で動作するように構成された単一のＬＮＡを備え得る。たとえば、ＬＮＡ３５２は、図２の第２の増幅器段２０４およびＲＣネットワーク２０６と並列に結合された第１の増幅器段２０２を含み得る。ＬＮＡ３５２は、スタンドアロンまたは同時のいずれかで、１つまたは複数のキャリア信号上で動作するように構成された２つまたはそれ以上のＬＮＡを備え得る。
【００２７】
[0035]デュプレクサ３４６は、ＲＸ信号がＴＸ信号から分離されるように、特定のＲＸ−ＴＸデュプレクサ周波数分離を用いて動作するように設計される。受信ＲＦ信号は、ＬＮＡ３５２によって増幅され、所望のＲＦ入力信号を取得するためにフィルタ３５４によってフィルタ処理される。ダウンコンバージョンミキサ３６１ａおよび３６１ｂは、ＩおよびＱベースバンド信号を生成するために、フィルタ３５４の出力を、受信（ＲＸ）ＬＯ信号生成器３８０からのＩおよびＱ  ＲＸ  ＬＯ信号（すなわち、ＬＯ＿ＩおよびＬＯ＿Ｑ）と混合する。ＩおよびＱベースバンド信号は、データプロセッサ３１０に与えられるＩおよびＱアナログ入力信号を取得するために、増幅器３６２ａおよび３６２ｂによって増幅され、ローパスフィルタ３６４ａおよび３６４ｂによってさらにフィルタ処理される。図示の例示的な実施形態では、データプロセッサ３１０は、アナログ入力信号を、データプロセッサ３１０によってさらに処理されるべきデジタル信号に変換するためのアナログデジタル変換器（ＡＤＣ）３１６ａおよび３１６ｂを含む。
【００２８】
[0036]図３では、ＴＸ  ＬＯ信号生成器３９０は、周波数アップコンバージョンのために使用されるＩおよびＱ  ＴＸ  ＬＯ信号を生成し、ＲＸ  ＬＯ信号生成器３８０は、周波数ダウンコンバージョンのために使用されるＩおよびＱ  ＲＸ  ＬＯ信号を生成する。各ＬＯ信号は、特定の基本周波数をもつ周期信号である。位相ロックループ（ＰＬＬ）３９２は、データプロセッサ３１０からタイミング情報を受信し、ＬＯ信号生成器３９０からのＴＸ  ＬＯ信号の周波数および／または位相を調整するために使用される制御信号を生成する。同様に、ＰＬＬ３８２は、データプロセッサ３１０からタイミング情報を受信し、ＬＯ信号生成器３８０からのＲＸ  ＬＯ信号の周波数および／または位相を調整するために使用される制御信号を生成する。
【００２９】
[0037]ワイヤレスデバイス３００は、ＣＡをサポートし得、（ｉ）異なる周波数における複数のダウンリンクキャリア上で１つまたは複数のセルによって送信された複数のダウンリンク信号を受信し、および／あるいは（ｉｉ）複数のアップリンクキャリア上で１つまたは複数のセルへの複数のアップリンク信号を送信し得る。
【００３０】
[0038]図４に、図１〜図２のワイヤレスデバイス１１０のような、ワイヤレスデバイスに組み込まれ得る、ＬＮＡ４１０のような増幅器およびトランスフォーマ回路４００の例示的な実施形態を示す。ＬＮＡ４１０は、図３のＬＮＡ３５２に対応し得る。ＬＮＡ４１０は、図２〜図３の第１の増幅器段２０２に対応し得る、主ＬＮＡ４１２のような、第１の増幅器段を含む。ＬＮＡ４１０はまた、図２〜図３の第２の増幅器段２０４に対応し得る、補助ＬＮＡ４１４のような、第２の増幅器段４０４を含む。ＬＮＡ４１０は、（たとえば、図３のデュプレクサまたはスイッチ３４６から）接続４１６を介して無線周波数（ＲＦ）入力信号（ＲＦ＿ｉｎ）を受信するように構成される。主ＬＮＡ４１２はディジェネレーション回路（たとえば、ディジェネレーションインダクタ４３２）を介して接地に結合され、補助ＬＮＡ４１４は直接接地に結合される。ＬＮＡ４１０はまた、入力ノード４１８に結合された、図２〜図３の抵抗容量性（ＲＣ）ネットワーク２０６のような、ＲＣネットワーク４５０を含む。ＲＣネットワーク４５０は、抵抗要素（たとえば、抵抗器４５３）と、抵抗要素および少なくとも１つのインピーダンス要素（たとえば、キャパシタ４５４）に結合されたトランジスタ４５２のような、スイッチングデバイスとを含む。抵抗要素および少なくとも１つのインピーダンス要素は、主ＬＮＡ４１２が無効にされるとき、補助ＬＮＡ４１４に入力インピーダンス整合を与えるように構成される。
【００３１】
[0039]入力整合回路４２５は、接続４１６と入力ノード４１８との間に結合される。入力整合回路４２５は、キャリアアグリゲーションモードおよび非キャリアアグリゲーションモードで、主ＬＮＡ４１２の動作中に入力インピーダンス整合を与えるように構成され得る。補助ＬＮＡ４１４が増幅器４１０に（すなわち、主ＬＮＡ４１２に）高い入力インピーダンスを与えるので、入力整合回路４２５は、補助ＬＮＡ４１４がアクティブであるかどうかから独立して、主ＬＮＡ４１２がアクティブである間、有効入力インピーダンス整合を与え得る。
【００３２】
[0040]第１の増幅器段（たとえば、主ＬＮＡ４１２）は、入力ノード４１８に結合され、第１のキャリア信号を増幅するように構成され、第２の増幅器段（たとえば、補助ＬＮＡ４１４）は、入力ノード４１８に結合され、第２のキャリア信号を増幅するように構成される。たとえば、補助ＬＮＡ４１４は、デュアル加入者識別モジュール（ＳＩＭ）デュアルスタンバイ（ＤＳＤＳ）動作モードで、ページング信号を検出するために第２のキャリア信号を増幅するように構成され得る。主ＬＮＡ４１２は、第１の利得を与えるように構成され得、補助ＬＮＡ４１４は、第１の利得とは異なる第２の利得を与えるように構成され得る。
【００３３】
[0041]主ＬＮＡ４１２は、主利得トランジスタ４２０と、第１のカスコードトランジスタ４２４のような、第１のスイッチと、第２のカスコードトランジスタ４２６のような、第２のスイッチとを備える。主利得トランジスタ４２０のソースは、ディジェネレーションインダクタ４３２に結合される。ディジェネレーションインダクタ４３２は、主利得トランジスタ４２０にソースディジェネレーションを与える。主利得トランジスタ４２０のドレインは、第１のカスコードトランジスタ４２４のソースと、第２のカスコードトランジスタ４２６のソースとに結合される。第１のカスコードトランジスタ４２４のドレインは、第１のトランスフォーマ４６２のような、第１の負荷回路に結合される。
【００３４】
[0042]例示的な実施形態では、第１のトランスフォーマ４６２は、第１のカスコードトランジスタ４２４のドレインからのシングルエンドＣＡ１  ＲＦ出力信号（ＣＡ１＿ＲＦｏｕｔ）を、第１のダウンコンバータ（図示せず）に与えられる差動信号出力に変換するように構成される。第２のカスコードトランジスタ４２６のドレインは、第２のトランスフォーマ４６４のような、第２の負荷回路に結合される。例示的な実施形態では、第２のトランスフォーマ４６４は、第２のカスコードトランジスタ４２６のドレインからのシングルエンドＣＡ２  ＲＦ出力信号（ＣＡ２＿ＲＦｏｕｔ）を、第２のダウンコンバータ（図示せず）に与えられる差動信号出力に変換するように構成される。
【００３５】
[0043]例示的な実施形態では、主ＬＮＡ４１２は、接続４１６上の無線周波数（ＲＦ）入力信号について低入力インピーダンス（ＬＺ）（たとえば、５０オーム程度）を呈するように構成され得る。例示的な実施形態では、第１のカスコードトランジスタ４２４は、それのゲート上のイネーブル信号、ｍａｉｎ＿ｅｎａ＿ＣＡ１に応答し、第２のカスコードトランジスタ４２６は、それのゲート上のイネーブル信号、ｍａｉｎ＿ｅｎａ＿ＣＡ２に応答する。別個のカスコードトランジスタ４２４および４２６は、ＣＡおよび非ＣＡ機能をサポートするための「スプリットカスコード」アーキテクチャと呼ばれることがある。例示的な実施形態では、ＣＡ１信号およびＣＡ２信号は、電力レベルに関して平衡が取れていると仮定される。
【００３６】
[0044]キャパシタ（Ｃｇｓ）４２５は、外部キャパシタであり得、主利得トランジスタ４２０のゲートを主利得トランジスタ４２０のソースに結合し得る。例示的な実施形態では、Ｃｇｓ４２５のキャパシタンスは、入力信号ＲＦｉｎに対するＬＮＡ４１０の「最適」な、または、そうでなければ改善された入力整合を与えるように構成可能にされ得る。たとえば、Ｃｇｓ４２５は、ＬＮＡ４１０が第１の周波数バンド中の信号を増幅するように構成されるときは第１の値にプログラムされ、ＬＮＡ４１０が第２の周波数バンド中の信号を増幅するように構成されるときは第２の値にプログラムされ得る。たとえば、Ｃｇｓ４２５は、Ｃｇｓ４２５を特定のキャパシタンスに設定するために、選択的に主利得トランジスタ４２０のゲートに結合されるかまたはそれから分離され得る、複数の容量要素を含み得る。
【００３７】
[0045]補助ＬＮＡ４１４は、補助利得トランジスタ４３０と、第１の補助カスコードトランジスタ４３４のような、第３のスイッチと、第２の補助カスコードトランジスタ４３６のような、第４のスイッチとを備える。補助利得トランジスタ４３０のソースは接地に結合される。補助利得トランジスタ４３０のドレインは、第１の補助カスコードトランジスタ４３４のソースと、第２の補助カスコードトランジスタ４３６のソースとに結合される。第１の補助カスコードトランジスタ４３４のドレインは、第１のトランスフォーマ４６２に結合される。例示的な態様では、第１の補助カスコードトランジスタ４３４は、それのゲートにおけるイネーブル信号、ａｕｘ＿ｅｎａ＿ＣＡ１に応答し、第２の補助カスコードトランジスタ４３６は、それのゲートにおけるイネーブル信号、ａｕｘ＿ｅｎａ＿ＣＡ２に応答する。
【００３８】
[0046]例示的な実施形態では、第１のトランスフォーマ４６２は、第１の補助カスコードトランジスタ４３４のドレインからのシングルエンドＣＡ１  ＲＦ出力信号（ＣＡ１＿ＲＦｏｕｔ）を、第１のダウンコンバータ（図示せず）に与えられる差動信号出力に変換するように構成される。第２の補助カスコードトランジスタ４３６のドレインは、第２のトランスフォーマ４６４に結合される。例示的な実施形態では、第２のトランスフォーマ４６４は、第２の補助カスコードトランジスタ４３６のドレインからのシングルエンドＣＡ２  ＲＦ出力信号（ＣＡ２＿ＲＦｏｕｔ）を、第２のダウンコンバータ（図示せず）に与えられる差動信号出力に変換するように構成される。交流（ＡＣ）結合キャパシタ４１９として示されている、容量デバイスは、主ＬＮＡ４１２の入力と補助ＬＮＡ４１４の入力との間のＡＣ結合を与えるように構成され得る。ＡＣ結合キャパシタ４１９は、補助利得トランジスタ４３０のゲートと入力ノード４１８との間に結合され得る。
【００３９】
[0047]第１のバイアス回路が第１の増幅器段の入力に結合され得る。たとえば、バイアス電圧、Ｖ＿ｂｉａｓ＿ｍａｉｎが、接続４１１からバイアス抵抗器４１３、Ｒ＿ｂｉａｓ＿ｍａｉｎを通して、第１の利得トランジスタ４２０のゲートに与えられる。第２のバイアス回路が第２の増幅器段の入力に結合され得る。たとえば、バイアス電圧、Ｖ＿ｂｉａｓ＿ａｕｘが、接続４１５からバイアス抵抗器４１７、Ｒ＿ｂｉａｓ＿ａｕｘを通して、補助利得トランジスタ４３０のゲートに与えられる。
【００４０】
[0048]例示的な実施形態では、主利得トランジスタ４２０および補助利得トランジスタ４３０は、第１のトランスフォーマ４６２および第２のトランスフォーマ４６４にイントラＣＡ信号出力ＣＡ１およびインターＣＡ信号出力ＣＡ２を与えるために、第１のカスコードトランジスタ４２４と、第２のカスコードトランジスタ４２６と、第１の補助カスコードトランジスタ４３４と、第２の補助カスコードトランジスタ４３６との様々な組合せとともに有効にされ得る。主利得トランジスタ４２０は、一方のキャリアのみまたはＣＡ１とＣＡ２の両方の出力を与えるために、第１のカスコードトランジスタ４２４および第２のカスコードトランジスタ４２６のいずれかまたは両方とともに有効にされ得る。しかしながら、ＤＳＤＳ動作モードでページング信号を監視するために補助利得トランジスタ４３０が使用されるモードでは、主利得トランジスタ４２０を動作させることなしに補助利得トランジスタ４３０を動作させることが、ページング信号の増幅を妨害し得る入力インピーダンス不整合を引き起こすことがある。したがって、そのようなモードで主利得トランジスタ４２０をアクティブにすることを回避するために、補助整合回路（すなわち、ＲＣネットワーク４５０）が、主利得トランジスタ４２０のゲートとＡＣ結合キャパシタ４１９を通して補助利得トランジスタ４３０のゲートとに結合され得る。
【００４１】
[0049]ＲＣネットワーク４５０は補助整合回路として動作するように構成され、抵抗デバイス（たとえば、抵抗器４５３）、および、スイッチングデバイス（たとえば、トランジスタ４５２）と接地とに結合された容量要素（たとえば、キャパシタ４５４）を含む少なくとも１つのインピーダンス要素を含む。スイッチングデバイスは、抵抗デバイスを介して入力ノード４１８に結合される。たとえば、抵抗デバイス（たとえば、抵抗器４５３）、スイッチングデバイス（たとえば、トランジスタ４５２）および容量デバイス（たとえば、キャパシタ４５４）は、入力ノード４１８と接地との間に直列に結合され得る。ＲＣネットワーク４５０は、容量デバイス（キャパシタ４５４）に結合されたスイッチングデバイスを含み、スイッチングデバイスは、主ＬＮＡ４１２が無効にされている間に補助ＬＮＡ４１４が有効にされるとき、制御入力（たとえば、信号（ａｕｘ＿ａｌｏｎｅ＿ｅｎ））に応答して、容量デバイスを入力ノード４１８に結合する。スイッチングデバイスは、主ＬＮＡ４１２が無効にされるときに容量デバイスを入力ノード４１８に結合することによって、および主ＬＮＡ４１２が有効にされるときに容量デバイスを入力ノード４１８から分離することによって、第１の増幅器段（主ＬＮＡ４１２）が有効にされるかどうかに基づいて、第２の増幅器段（補助ＬＮＡ４１４）のインピーダンスを変更するように構成され得る。
【００４２】
[0050]例示的な実施形態では、補助整合回路（ＲＣネットワーク４５０）は、それのゲートが抵抗器４５６を通して接続４５８上のイネーブル信号、ａｕｘ＿ａｌｏｎｅ＿ｅｎに結合されたトランジスタ４５２を備える。トランジスタ４５２のソースは、キャパシタ４５４を通して接地に結合される。トランジスタ４５２のドレインは、入力ノード４１８に結合された抵抗器４５３に結合される。トランジスタ４５２が有効にされるとき、抵抗器４５３およびキャパシタ４５４は、補助利得トランジスタ４３０のゲートにおける入力インピーダンス整合ネットワークを生成する。
【００４３】
[0051]トランジスタ４５２は、主増幅器４１２が有効にされるかどうかに基づいて補助ＬＮＡ４１４のインピーダンスを調整するように、制御入力（たとえば、信号ａｕｘ＿ａｌｏｎｅ＿ｅｎ）に応答する。例示的な実施形態では、トランジスタ４５２は、主利得トランジスタ４２０が有効にされることなしに補助利得トランジスタ４３０が動作しているとき、信号、ａｕｘ＿ａｌｏｎｅ＿ｅｎによって有効にされる。
【００４４】
[0052]主利得トランジスタ４２０がオンであり、補助利得トランジスタ４３０がオフであるモードで動作するとき、第１のカスコードトランジスタ４２４がｍａｉｎ＿ｅｎａ＿ＣＡ１信号によって有効にされること、および／または第２のカスコードトランジスタ４２６がｍａｉｎ＿ｅｎａ＿ＣＡ２信号によって有効にされることのいずれかまたは両方が行われる。
【００４５】
[0053]ＬＮＡ４１０は、１次ＬＮＡ４１２が有効にされるのか無効にされるのかから独立して補助ＬＮＡ４１４を有効にするように構成可能であり得る。たとえば、ＬＮＡ４１０は、主ＬＮＡ４１２および補助ＬＮＡ４１４が有効にされる第１のモードで動作するように構成され、ならびに主ＬＮＡ４１２が無効にされている間に補助ＬＮＡ４１４が有効にされる第２のモードで動作するように構成され得る。主利得トランジスタ４２０がオンであり、補助利得トランジスタ４３０がオンであるモードで動作する（たとえば、他方のキャリアがアクティブである間に、キャリアの一方を使用してページング信号を受信する）とき、第１のカスコードトランジスタ４２４がｍａｉｎ＿ｅｎａ＿ＣＡ１信号によって有効にされること、または第２のカスコードトランジスタ４２６がｍａｉｎ＿ｅｎａ＿ＣＡ２信号によって有効にされることのいずれかが行われる。さらに、第１の補助カスコードトランジスタ４３４がａｕｘ＿ｅｎａ＿ＣＡ１信号によって有効にされること、または第２の補助カスコードトランジスタ４３６がａｕｘ＿ｅｎａ＿ＣＡ２信号によって有効にされることのいずれかが行われる。主利得トランジスタ４２０がオフであり、補助利得トランジスタ４３０がオンであるモードで動作する（たとえば、他方のキャリアがアクティブでない間に、キャリアの一方を使用してページング信号を受信する）とき、トランジスタ４５２は接続４５８上のａｕｘ＿ａｌｏｎｅ＿ｅｎ信号によって有効にされ、第１の補助カスコードトランジスタ４３４がａｕｘ＿ｅｎａ＿ＣＡ１信号によって有効にされること、および／または第２の補助カスコードトランジスタ４３６がａｕｘ＿ｅｎａ＿ＣＡ２信号によって有効にされることのいずれかまたは両方が行われる。このようにして、補助整合回路４５０は、補助利得トランジスタ４３０に入力インピーダンス整合を与え、主利得トランジスタ４２０がオフである間に補助利得トランジスタ４３０がオンであることを可能にする。主利得トランジスタ４２０がオフである間に補助利得トランジスタ４３０を動作させることは、ＬＮＡ４１０における全体的電力消費を低減する。
【００４６】
[0054]図５に、ＲＣネットワーク４５０のような、図４に関して前に説明したいくつかの構成要素を含む増幅器５１０を含むシステムの別の例示的な実施形態を示す。増幅器５１０は、ディジェネレーションインダクタ４３２を介して接地に結合された主ＬＮＡ４１２を含む。主ＬＮＡ４１２および補助ＬＮＡ４１４は、負荷回路４６２、４６４に結合される。接続４１１とバイアス抵抗器４１３とを含む、第１のバイアス回路は、第１の利得トランジスタ４２０のゲートに結合される。接続４１５とバイアス抵抗器４１７とを含む、第２のバイアス回路は、補助利得トランジスタ４３０のゲートに結合される。
【００４７】
[0055]増幅器５１０はまた、第２の主ＬＮＡ５１２のような、第２の主増幅器段を含む。第２の主ＬＮＡ５１２は、カスコードトランジスタ５２４（「ダイバート（divert）」トランジスタ）を介して第１の負荷回路４６２に選択的に結合され、カスコードトランジスタ５２６を介して第２の負荷回路４６４に選択的に結合される、利得トランジスタ５２０を含む。利得トランジスタ５２０のゲートは、主ＬＮＡ４１２の利得トランジスタ５２０のゲートに直流（ＤＣ）結合され得る。利得トランジスタ５２０のソースは、ディジェネレーショントランジスタ５３２を介して接地に結合される。
【００４８】
[0056]主ＬＮＡ４１２および第２の主ＬＮＡ５１２は、主ＬＮＡ４１２が第１の負荷回路４６２に結合され、第２の主ＬＮＡ５１２が第２の負荷回路４６４に結合され、主ＬＮＡ４１２と第２の主ＬＮＡ５１２との間の電流フローを阻止する（または低減する）ためにダイバートトランジスタ５２４が非アクティブにされる、キャリアアグリゲーションモードで動作するように構成され得る。主ＬＮＡ４１２および第２の主ＬＮＡ５１２は、主ＬＮＡ４１２および第２の主ＬＮＡ５１２が第１の負荷回路４６２に並列に結合されるように、ダイバートトランジスタ５２４がアクティブにされ、カスコードトランジスタ５２６が非アクティブにされる、非キャリアアグリゲーションモードで動作するように構成され得る。
【００４９】
[0057]接続４１６における入力信号ＲＦｉｎが、入力整合回路４２５を介して入力ノード４１８に与えられる。入力整合回路４２５は、キャリアアグリゲーションモードおよび非キャリアアグリゲーションモードで、主ＬＮＡ４１２および第２の主ＬＮＡ５１２の動作中に入力インピーダンス整合を与えるように構成され得る。補助ＬＮＡ４１４が増幅器５１０に（すなわち、主ＬＮＡ４１２と第２の主ＬＮＡ５１２とに）高入力インピーダンスを与えるので、入力整合回路４２５は、補助ＬＮＡ４１４がアクティブであるかどうかから独立して、主ＬＮＡ４１２および／または第２の主ＬＮＡ５１２がアクティブである間に、有効入力インピーダンス整合を与え得る。
【００５０】
[0058]補助ＬＮＡ４１４がアクティブである間に、主ＬＮＡ４１２および第２の主ＬＮＡ５１２が非アクティブ（無効）である動作モードでは、補助整合回路４５０のトランジスタ４５２は接続４５８におけるａｕｘ＿ａｌｏｎｅ＿ｅｎ信号によって有効にされ、第１の補助カスコードトランジスタ４３４がａｕｘ＿ｅｎａ＿ＣＡ１信号によって有効にされること、および／または第２の補助カスコードトランジスタ４３６がａｕｘ＿ｅｎａ＿ＣＡ２信号によって有効にされることのいずれかまたは両方が行われる。このようにして、補助整合回路４５０は、補助利得トランジスタ４３０に対する入力インピーダンス整合を与え、主利得トランジスタ４２０および５２０がオフである間に補助利得トランジスタ４３０がオンであることを可能にする。したがって、入力インピーダンスは、ＤＳＤＳ構成において異なる増幅器利得をサポートし得る３つ以上の増幅段を有する増幅器５１０の動作モードに基づいて、変更され得る。
【００５１】
[0059]図６を参照すると、方法の例示的な実施形態が示されており、全体的に６００と称される。方法６００は、図４のＬＮＡ４１０または図５の増幅器５１０を含む図１のワイヤレスデバイス１１０のような、複数の増幅段とＲＣ整合ネットワークとをもつ増幅器を含むワイヤレスデバイスにおいて実行され得る。たとえば、方法６００は、図４のＬＮＡ４１０によって、または図５の増幅器５１０によって実行され得る。
【００５２】
[0060]方法６００は、６０２において、第１の増幅器段の入力と第２の増幅器段の入力とにおいて入力信号を受信することを含む。第１の増幅器段は、第１のキャリア信号を増幅するように構成され得、第２の増幅器段は、第２のキャリア信号を増幅するように構成され得る。たとえば、入力信号は、図４または図５の入力ノード４１８において受信され得る。第１の増幅器段は、例示的な非限定的な例として、図４または図５の主ＬＮＡ４１２あるいは図５の第２のＬＮＡ５１２に対応し得る。例示のために、入力信号は、デュプレクサまたはスイッチ３４６を介して図３のアンテナ３４８から受信されたＲＦ信号であり得る。
【００５３】
[0061]６０４において、第１の増幅器段に結合され、第２の増幅器段に結合された抵抗容量性（ＲＣ）ネットワークにおいて、制御入力を受信する。たとえば、制御入力は、抵抗器４５６を介して図４〜図５のトランジスタ４５２に到る接続４５８上に与えられたイネーブル信号（ａｕｘ＿ａｌｏｎｅ＿ｅｎ）に対応し得る。制御入力は、増幅器の動作モードに基づいて、図３のデータプロセッサ３１０によるような、制御回路によって選択され、生成され、または場合によっては与えられ得る。
【００５４】
[0062]たとえば、増幅器は、デュアル加入者識別モジュール（ＳＩＭ）デュアルスタンバイ（ＤＳＤＳ）動作モードで動作し得る。ＤＳＤＳモードでは、第１の増幅器段は、第１の増幅器段が有効にされるときに第１のキャリア信号を増幅するように構成された主増幅器段であり得る。第１のキャリア信号が主たる受信信号を含まないとき、第１の増幅器段は無効にされ得る。第２の増幅器段は、ページング信号を検出するために第２のキャリア信号を増幅するように構成された補助増幅器段に対応し得る。制御入力は、スイッチングデバイスに、第１の増幅器段が有効にされるモードでの動作中に、抵抗器４５３を通る電流を阻止することなどによって、入力ノードからＲＣネットワークの少なくとも１つのインピーダンス要素を分離させ得る。制御入力は、スイッチングデバイスに、第２の増幅器段に入力インピーダンス整合を与えるために第１の増幅器段が無効にされるモードでの動作中に、入力ノードに少なくとも１つのインピーダンス要素（たとえば、キャパシタ４５４）を結合させ得る。
【００５５】
[0063]方法６００は、それぞれのキャリア信号に独立して制御可能な利得レベルを与え得る複数の増幅段の動作を可能にする。ＤＳＤＳページング信号のために第２の増幅器段が有効のままである間に、第１の増幅器段を無効にすることによって電力消費を低減するシングルを使用して、ＤＳＤＳモードのような、様々な動作モードがサポートされ得る。その結果、ＤＳＤＳページングモードのように、第１の増幅器段のための受信信号が存在しないときに、第２の増幅器段に入力インピーダンス整合を与えるために第１の増幅器段をオンに保つ増幅器と比較して、増幅器の電力消費が低減され得る。
【００５６】
[0064]図６は方法６００の要素の特定の順序を示しているが、他の実施形態では、方法６００の要素は別の順序で実行され得ること、あるいは同時にまたは実質的に同時に実行され得ることを理解されたい。たとえば、（６０４において）制御信号がスイッチングデバイスに与えられるのと同時に（または実質的に同時に）（６０２において）入力信号が第１の増幅器段の入力および第２の増幅器段の入力に与えられ得る。
【００５７】
[0065]開示する実施形態に関連して、第１のキャリア信号を増幅するための第１の手段を含む装置について説明する。たとえば、増幅するための第１の手段は、図２または図３の第１の増幅器段２０２、図４または図５の主ＬＮＡ４１２、図５の第２のＬＮＡ５１２、１つまたは複数の他の増幅器回路、またはそれらの任意の組合せを含み得る。
【００５８】
[0066]本装置は、第２のキャリア信号を増幅するための第２の手段を含む。たとえば、増幅するための第２の手段は、図２または図３の第２の増幅器段２０４、図４または図５の補助ＬＮＡ４１４、１つまたは複数の他の増幅器回路、あるいはそれらの任意の組合せを含み得る。
【００５９】
[0067]本装置は、ＲＣインピーダンスを与えるための手段を含み、ＲＣインピーダンスを与えるための手段は、増幅するための第１の手段に結合され、増幅するための第２の手段に結合され得る。ＲＣインピーダンスを与えるための手段は、抵抗容量性（ＲＣ）ネットワークを含み得、ＲＣネットワークは、入力ノードと接地との間に直列結合された抵抗器とキャパシタとを含む。たとえば、ＲＣインピーダンスを与えるための手段は、図２または図３のＲＣネットワーク２０６、図４〜図５のＲＣネットワーク４５０、１つまたは複数の他のスイッチングデバイス（たとえば、トランジスタ、スイッチングダイオードなど）、あるいはそれらの任意の組合せを含み得る。
【００６０】
[0068]本装置はまた、増幅するための第１の手段に結合されたバイアスするための第１の手段と、増幅するための第２の手段に結合されたバイアスするための第２の手段とを含み得る。たとえば、バイアスするための第１の手段は、図４または図５の接続４１１、図４または図５のバイアス抵抗器４１３、電圧バイアスを与えるための別のノード、接続、電圧源、または他の回路要素、あるいはそれらの任意の組合せを含み得る。別の例として、バイアスするための第２の手段は、図４または図５の接続４１５、図４または図５のバイアス抵抗器４１７、電圧バイアスを与えるための別のノード、接続、電圧源、または他の回路要素、あるいはそれらの任意の組合せを含み得る。
【００６１】
[0069]本装置はまた、増幅するための第１の手段の入力と増幅するための第２の手段の入力との間の交流（ＡＣ）結合を与えるための手段を含み得る。たとえば、ＡＣ結合を与えるための手段は、図４または図５のＡＣ結合キャパシタ４１９、１つまたは複数の他の容量性回路要素、あるいはそれらの任意の組合せを含み得る。
【００６２】
[0070]本明細書で説明したＲＣ整合ネットワークをもつ増幅器は、デュアルＳＩＭデュアルスタンバイ（ＤＳＤＳ）動作のために使用され得、１つまたは複数のＩＣ、アナログＩＣ、ＲＦＩＣ、混合信号ＩＣ、ＡＳＩＣ、プリント回路板（ＰＣＢ）、電子デバイスなどの上に実装され得る。ＲＣ整合ネットワークをもつ増幅器はまた、相補型金属酸化物半導体（ＣＭＯＳ）、ＮチャネルＭＯＳ（ＮＭＯＳ）、ＰチャネルＭＯＳ（ＰＭＯＳ）、バイポーラ接合トランジスタ（ＢＪＴ）、バイポーラＣＭＯＳ（ＢｉＣＭＯＳ）、シリコンゲルマニウム（ＳｉＧｅ）、ガリウムヒ素（ＧａＡｓ）、ヘテロ接合バイポーラトランジスタ（ＨＢＴ）、高電子移動度トランジスタ（ＨＥＭＴ）、シリコンオンインシュレータ（ＳＯＩ）のような、様々なＩＣプロセス技術を用いて作製され得る。
【００６３】
[0071]本明細書で説明したＲＣ整合ネットワークをもつ増幅器を実装する装置は、デュアルＳＩＭデュアルスタンバイ（ＤＳＤＳ）動作のために使用され得、スタンドアロンデバイスであり得るか、またはより大きいデバイスの一部であり得る。デバイスは、（ｉ）スタンドアロンＩＣ、（ｉｉ）データおよび／または命令を記憶するためのメモリＩＣを含み得る１つまたは複数のＩＣのセット、（ｉｉｉ）ＲＦ受信機（ＲＦＲ）またはＲＦ送信機／受信機（ＲＴＲ）のようなＲＦＩＣ、（ｉｖ）移動局モデム（ＭＳＭ）のようなＡＳＩＣ、（ｖ）他のデバイス内に埋め込まれ得るモジュール、（ｖｉ）受信機、セルラーフォン、ワイヤレスデバイス、ハンドセット、またはモバイルユニット、（ｖｉｉ）その他であり得る。
【００６４】
[0072]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。例示的な実施形態では、ストレージデバイスは、物理ストレージ材料の光反射率または磁気配向、トランジスタのフローティングゲートにまたはキャパシタのプレートに記憶された電荷量に基づくような、過渡信号または伝搬信号でない形式でデータを記憶する。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含めるべきである。
【００６５】
[0073]本明細書で使用する「構成要素」、「データベース」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。例示のために、図３のデータプロセッサ３１０は、図４または図５の制御信号「ａｕｘ＿ａｌｏｎｅ＿ｅｎ」の値を選択するためのプログラム命令、図４のスイッチ４２４、４２６、４３４および４３６を制御するための制御信号の値を選択するためのプログラム命令、ならびに／あるいは図５のスイッチ４２４、５２４および４２６を制御するための制御信号の値を設定するためのプログラム命令を実行し得る。たとえば、構成要素は、限定はしないが、プロセッサ上で実行されるプロセス、プロセッサ、オブジェクト、実行ファイル、実行スレッド、プログラム、および／またはコンピュータであり得る。例として、コンピューティングデバイス上で実行しているアプリケーションと、そのコンピューティングデバイスの両方が構成要素であり得る。１つまたは複数の構成要素がプロセスおよび／または実行スレッド内に常駐し得、１つの構成要素が１つのコンピュータ上に配置され得、および／または２つまたはそれ以上のコンピュータ間に分散され得る。さらに、これらの構成要素は、様々なデータ構造を記憶している様々なコンピュータ可読媒体から実行し得る。これらの構成要素は、１つまたは複数のデータパケット（たとえば、信号を介して、ローカルシステム、分散システム内の別の構成要素と相互作用し、および／またはインターネットなどのネットワーク上で他のシステムと相互作用する１つの構成要素からのデータ）を有する信号に従うことなどによって、ローカルプロセスおよび／またはリモートプロセスを介して通信し得る。
【００６６】
[0074]選択された態様について詳細に図示および説明したが、以下の特許請求の範囲によって定義されるように、本発明の趣旨および範囲から逸脱することなく、様々な置換および改変を本明細書で行い得ることを理解されよう。
以下に、本願出願の当初の特許請求の範囲に記載された発明を付記する。
［Ｃ１］
装置であって、前記装置は下記を備える、
第１のキャリア信号を増幅するように構成された第１の増幅器段と、
第２のキャリア信号を増幅するように構成された第２の増幅器段と、
前記第１の増幅器段に結合され、前記第２の増幅器段に結合された抵抗容量性（ＲＣ）ネットワーク、ここで、前記ＲＣネットワークが、容量要素に結合された抵抗要素を含む。
［Ｃ２］
第１の負荷回路と第２の負荷回路とをさらに備え、ここにおいて、前記第１の増幅器段が、前記第１の負荷回路に結合された第１のスイッチと、前記第２の負荷回路に結合された第２のスイッチとを含む、Ｃ１に記載の装置。
［Ｃ３］
前記第２の増幅器段が、前記第１の負荷回路に結合された第３のスイッチと、前記第２の負荷回路に結合された第４のスイッチとを含む、Ｃ２に記載の装置。
［Ｃ４］
前記第１の増幅器段が、キャリアアグリゲーション動作モードをサポートするように構成され、前記第２の増幅器段が、デュアル加入者識別モジュール（ＳＩＭ）デュアルスタンバイ（ＤＳＤＳ）動作モードで、ページング信号を検出するために前記第２のキャリア信号を増幅するように構成された、Ｃ１に記載の装置。
［Ｃ５］
前記ＲＣネットワークが、スイッチングデバイスをさらに含み、前記容量要素が、前記スイッチングデバイスと接地とに結合された、Ｃ１に記載の装置。
［Ｃ６］
前記スイッチングデバイスは、制御入力に応答し、前記第１の増幅器段が有効にされるかどうかに基づいて前記第２の増幅器段のインピーダンスを変更するように構成される、Ｃ５に記載の装置。
［Ｃ７］
前記第１の増幅器段および前記第２の増幅器段が、低雑音増幅器（ＬＮＡ）中に含まれ、ここにおいて、前記ＬＮＡは、前記第１の増幅器段が有効にされるかどうかから独立して前記第２の増幅器段を有効にするように構成可能である、Ｃ１に記載の装置。
［Ｃ８］
前記第１の増幅器段および前記第２の増幅器段は、前記第１の増幅器段および前記第２の増幅器段が有効にされる第１のモードで動作し、および第２のモードで動作するように構成された低雑音増幅器（ＬＮＡ）中に含まれる、Ｃ１に記載の装置。
［Ｃ９］
前記第２のモードで、前記第１の増幅器段が無効にされている間に、前記第２の増幅器段が有効にされる、Ｃ８に記載の装置。
［Ｃ１０］
前記第１の増幅器段の入力と前記第２の増幅器段の入力との間の交流（ＡＣ）結合を与えるキャパシタをさらに備える、Ｃ１に記載の装置。
［Ｃ１１］
前記第１の増幅器段に結合された第１のバイアス回路と、前記第２の増幅器段に結合された第２のバイアス回路とをさらに備える、Ｃ１に記載の装置。
［Ｃ１２］
前記第１の増幅器段が、第１の利得を与えるように構成され、前記第２の増幅器段が、前記第１の利得とは異なる第２の利得を与えるように構成された、Ｃ１に記載の装置。
［Ｃ１３］
前記第１の増幅器段がディジェネレーション回路を介して接地に結合され、前記第２の増幅器段が接地に直接結合された、Ｃ１に記載の装置。
［Ｃ１４］
装置であって、前記装置は下記を備える、
第１のキャリア信号を増幅するための第１の手段と、
第２のキャリア信号を増幅するための第２の手段と、
抵抗容量性（ＲＣ）インピーダンスを与えるための手段、ここで、前記ＲＣインピーダンスを与えるための前記手段が、増幅するための前記第１の手段に結合され、および増幅するための前記第２の手段に結合される。
［Ｃ１５］
前記ＲＣインピーダンスを与えるための前記手段が、スイッチングのための手段と接地とに結合された容量要素を含む、Ｃ１４に記載の装置。
［Ｃ１６］
増幅するための前記第１の手段が、キャリアアグリゲーション動作モードをサポートするように構成され、増幅するための前記第２の手段が、デュアル加入者識別モジュール（ＳＩＭ）デュアルスタンバイ（ＤＳＤＳ）動作モードで、ページング信号を検出するために前記第２のキャリア信号を増幅するように構成される、Ｃ１４に記載の装置。
［Ｃ１７］
増幅するための前記第１の手段の入力と増幅するための前記第２の手段の入力との間の交流（ＡＣ）結合を与えるための手段をさらに備える、Ｃ１４に記載の装置。
［Ｃ１８］
増幅するための前記第１の手段に結合されたバイアスするための第１の手段と、
増幅するための前記第２の手段に結合されたバイアスするための第２の手段と
をさらに備える、Ｃ１４に記載の装置。
［Ｃ１９］
方法であって、前記方法は下記を備える、
第１の増幅器段の入力と第２の増幅器段の入力とにおいて入力信号を受信すること、ここで、前記第１の増幅器段が、第１のキャリア信号を増幅するように構成され、前記第２の増幅器段が、第２のキャリア信号を増幅するように構成される、と、
前記第１の増幅器段に結合され、前記第２の増幅器段に結合された抵抗容量性（ＲＣ）ネットワークにおいて、制御入力を受信すること。
［Ｃ２０］
デュアル加入者識別モジュール（ＳＩＭ）デュアルスタンバイ（ＤＳＤＳ）動作モードで、前記第１の増幅器段は、前記第１の増幅器段が有効にされたときに、第１のキャリア信号を増幅するように構成され、前記第２の増幅器段は、ページング信号を検出するために第２のキャリア信号を増幅するように構成される、Ｃ１９に記載の方法。
【図１】
0006643255.tif 000002
【図２Ａ】
0006643255.tif 000003
【図２Ｂ】
0006643255.tif 000004
【図２Ｃ】
0006643255.tif 000005
【図２Ｄ】
0006643255.tif 000006
【図３】
0006643255.tif 000007
【図４】
0006643255.tif 000008
【図５】
0006643255.tif 000009
【図６】
0006643255.tif 000010